(57)【要約】    【課題】  色収差をはじめ諸収差が良好に補正され、ズーム全域で良好な光学特性が得られるズームレンズを得ること。    【解決手段】  正の屈折力の第１レンズ群、負の屈折力の第２レンズ群、正の屈折力の第３レンズ群、１つ以上のレンズ群を含む後群より構成され、ズーミングに際して隣り合うレンズ群の間隔が変化するズームレンズであって、  後群は負の屈折力のレンズ群ＬＲを有し、レンズ群ＬＲは１枚以上の正レンズと１枚以上の負レンズを有し、レンズ群ＬＲに含まれる負レンズの内、材料のｄ線（波長５８７．５６ｎｍ）におけるアッベ数が最も大きな材料よりなる負レンズＬＲＮは材料の異常部分分散比ΔθｇＦ、望遠端におけるレンズ群ＬＲの像側のレンズ面から像面までの距離ｂｆｔ、広角端におけるレンズ群ＬＲの像側のレンズ面から像面までの距離ｂｆｗ、レンズ群ＬＲの焦点距離ｆｒを各々適切に設定する。【選択図】    図１
2019020679.tif 000002
【特許請求の範囲】
【請求項１】
物体側から像側へ順に配置された、正の屈折力の第１レンズ群、負の屈折力の第２レンズ群、正の屈折力の第３レンズ群、１つ以上のレンズ群を含む後群より構成され、ズーミングに際して隣り合うレンズ群の間隔が変化するズームレンズであって、
前記後群は負の屈折力のレンズ群ＬＲを有し、前記レンズ群ＬＲは１枚以上の正レンズと１枚以上の負レンズを有し、前記レンズ群ＬＲに含まれる負レンズの内、材料のアッベ数が最も大きな材料よりなる負レンズＬＲＮは材料の異常部分分散比をΔθｇＦとするとき、
０．０＜ΔθｇＦ＜０．３
なる条件式を満たし、
望遠端における前記レンズ群ＬＲの像側のレンズ面から像面までの距離をｂｆｔ、広角端における前記レンズ群ＬＲの像側のレンズ面から像面までの距離をｂｆｗ、前記レンズ群ＬＲの焦点距離をｆｒとするとき、
３．５＜ｂｆｔ／ｂｆｗ＜５０．０
−１００．０＜ｆｒ／ｂｆｗ＜−５．０
なる条件式を満足することを特徴とするズームレンズ。
【請求項２】
望遠端におけるレンズ全長（最も物体側のレンズ面から像面までの距離）をＴＬｔ、広角端から望遠端へのズーミングに際しての前記レンズ群ＬＲの移動量をＭｒ（ここでレンズ群の移動量とは、広角端におけるレンズ群の光軸上の位置と望遠端におけるレンズ群の光軸上の位置の差をいう。移動量の符号は広角端に比べて望遠端においてレンズ群が像側に位置するときを正、物体側に位置するときを負とする。）とするとき、
−１０．０＜ＴＬｔ／Ｍｒ＜−２．０
なる条件式を満たすことを特徴とする請求項１に記載のズームレンズ。
【請求項３】
前記レンズ群ＬＲの最も像側のレンズ面の有効径をｅａｒとするとき、
２．０＜ｅａｒ／ｂｆｗ＜１０．０
なる条件式を満たすことを特徴とする請求項１または２に記載のズームレンズ。
【請求項４】
前記負レンズＬＲＮの焦点距離をｆｒｎとするとき、
−３０．０＜ｆｒｎ／ｂｆｗ＜−２．０
なる条件式を満たすことを特徴とする請求項１乃至３のいずれか１項に記載のズームレンズ。
【請求項５】
広角端における前記第２レンズ群と前記第３レンズ群の光軸上の間隔をＤ２３ｗ、望遠端における前記第２レンズ群と前記第３レンズ群のレンズ間隔をＤ２３ｔとするとき、
２．０＜Ｄ２３ｗ／Ｄ２３ｔ＜２０．０
なる条件式を満たすことを特徴とする請求項１乃至４のいずれか１項に記載のズームレンズ。
【請求項６】
広角端における全系の焦点距離をｆｗとするとき、
４．０＜ｆｗ／ｂｆｗ＜２５．０
なる条件式を満たすことを特徴とする請求項１乃至５のいずれか１項に記載のズームレンズ。
【請求項７】
望遠端における全系の焦点距離をｆｔとするとき、
３．０＜ｆｔ／ｂｆｔ＜６．０
なる条件式を満たすことを特徴とする請求項１乃至６のいずれか１項に記載のズームレンズ。
【請求項８】
前記第１レンズ群の焦点距離をｆ１、望遠端における全系の焦点距離をｆｔとするとき、
０．２＜ｆ１／ｆｔ＜１．１
なる条件式を満たすことを特徴とする請求項１乃至７のいずれか１項に記載のズームレンズ。
【請求項９】
無限遠に合焦した状態での広角端における前記レンズ群ＬＲの横倍率をβｒｗ、望遠端における前記レンズ群ＬＲの横倍率をβｒｔとするとき、
１．０＜βｒｔ／βｒｗ＜２．５
なる条件式を満たすことを特徴とする請求項１乃至８のいずれか１項に記載のズームレンズ。
【請求項１０】
前記レンズ群ＬＲは前記後群の最も像側に配置されていることを特徴とする請求項１乃至９のいずれか１項に記載のズームレンズ。
【請求項１１】
前記後群は物体側から像側へ順に配置された、正の屈折力の第４レンズ群、負の屈折力の第５レンズ群、正の屈折力の第６レンズ群、負の屈折力の第７レンズ群から構成され、前記レンズ群ＬＲは前記第７レンズ群であることを特徴とする請求項１乃至１０のいずれか１項に記載のズームレンズ。
【請求項１２】
前記後群は物体側から像側へ順に配置された、正の屈折力の第４レンズ群、負の屈折力の第５レンズ群、負の屈折力の第６レンズ群から構成され、前記レンズ群ＬＲは前記第６レンズ群であることを特徴とする請求項１乃至１０のいずれか１項に記載のズームレンズ。
【請求項１３】
前記後群は負の屈折力の第４レンズ群から構成され、前記レンズ群ＬＲは前記第４レンズ群であることを特徴とする請求項１乃至１０のいずれか１項に記載のズームレンズ。
【請求項１４】
前記後群は物体側から像側へ順に配置された、負の屈折力の第４レンズ群、正の屈折力の第５レンズ群から構成され、前記レンズ群ＬＲは前記第４レンズ群であることを特徴とする請求項１乃至１０のいずれか１項に記載のズームレンズ。
【請求項１５】
光電変換素子に像を形成することを特徴とする請求項１乃至１４のいずれか１項に記載の光学系。
【請求項１６】
請求項１乃至１５のズームレンズと、該ズームレンズによって形成される像を受光する光電変換素子とを備えることを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置に好適なものである。
【背景技術】
【０００２】
近年、撮像素子を用いた撮像装置は電子ビューファインダーを用いて、装置全体が小型化されている。そしてそれに用いる撮像光学系としてはバックフォーカスが短く、レンズ全長の短縮化を図ったコンパクト（小型）で、全ズーム範囲にわたり高い光学性能を有するズームレンズであること等が要求されている。また遠方の物体を撮像するのが容易な長焦点距離を含んだ望遠型のズームレンズであること等も要求されている。これらの要求に応えるズームレンズとして最も物体側に正の屈折力のレンズ群を配置したポジティブリード型で望遠型のズームレンズが知られている。
【０００３】
一般に望遠型のズームレンズにおいて、レンズ全長を短くするほど、また焦点距離を長くするほど、諸収差のうち色収差が多く発生してくる。従来、このときの色収差を異常部分分散材料よりなるレンズを用いて補正した望遠型のズームレンズが知られている（特許文献１、２）。
【０００４】
特許文献１、２では、物体側より像側へ順に、正の屈折力の第１レンズ群、負の屈折力の第２レンズ群、正の屈折力の第３レンズ群、それに続く１つ以上のレンズ群を含む後群より構成されるズームレンズを開示している。このうち特許文献１では後群を負の屈折力の第４レンズ群より構成している。
【０００５】
特許文献２では後群を物体側から像側に順に配置した正の屈折力の第４レンズ群、負の屈折力の第５レンズ群より構成している。また特許文献２は後群を物体側から像側へ順に配置した負の屈折力の第４レンズ群、正の屈折力の第５レンズ群、負の屈折力の第６レンズ群より構成している。
【０００６】
そして特許文献１、２では、いずれも最も物体側のレンズ群に異常部分分散材料よりなるレンズを用いて色収差を補正している。
【先行技術文献】
【特許文献】
【０００７】
【特許文献１】特開平１１−２０２２０２号公報
【特許文献２】特開２０１４−４１２２３号公報
【発明の概要】
【発明が解決しようとする課題】
【０００８】
ポジティブリード型のズームレンズは全系の小型化を図りつつ、高ズーム比化を図ることが比較的容易である。しかしながらポジティブリード型のズームレンズにおいて、レンズ全長の短縮化を図りつつ、長焦点距離化を図り、望遠型にすると色収差をはじめ諸収差の発生が増大し、光学性能が大きく低下してくる。
【０００９】
一般に長焦点距離化を図った望遠型のズームレンズでは、前方のレンズ群にて発生した収差が後方のレンズ群によって拡大される。このためポジティブリード型のズームレンズにおいて、レンズ全長を短くし、全系の小型化を図りつつ、全ズーム範囲にわたり高い光学性能を得るには、ズームタイプ（レンズ群の数や各レンズ群の屈折力の符号）を適切に設定することが重要になってくる。更にズームレンズを構成する各レンズ群のレンズ構成等を適切に設定することが重要になってくる。
【００１０】
特に前述したズームレンズにおいては後方の各レンズ群のレンズ構成を適切に設定することが重要になってくる。
【００１１】
本発明は、色収差をはじめ諸収差が良好に補正され、ズーム全域で良好な光学特性が得られるズームレンズ及びそれを有する撮像装置の提供を目的とする。
【課題を解決するための手段】
【００１２】
本発明のズームレンズは、物体側から像側へ順に配置された、正の屈折力の第１レンズ群、負の屈折力の第２レンズ群、正の屈折力の第３レンズ群、１つ以上のレンズ群を含む後群より構成され、ズーミングに際して隣り合うレンズ群の間隔が変化するズームレンズであって、
前記後群は負の屈折力のレンズ群ＬＲを有し、前記レンズ群ＬＲは１枚以上の正レンズと１枚以上の負レンズを有し、前記レンズ群ＬＲに含まれる負レンズの内、材料のアッベ数が最も大きな材料よりなる負レンズＬＲＮは材料の異常部分分散比をΔθｇＦとするとき、
０．０＜ΔθｇＦ＜０．３
なる条件式を満たし、
望遠端における前記レンズ群ＬＲの像側のレンズ面から像面までの距離をｂｆｔ、広角端における前記レンズ群ＬＲの像側のレンズ面から像面までの距離をｂｆｗ、前記レンズ群ＬＲの焦点距離をｆｒとするとき、
３．５＜ｂｆｔ／ｂｆｗ＜５０．０
−１００．０＜ｆｒ／ｂｆｗ＜−５．０
なる条件式を満足することを特徴としている。
【発明の効果】
【００１３】
本発明によれば、色収差をはじめ諸収差が良好に補正され、ズーム全域で良好な光学特性が得られるズームレンズが得られる。
【図面の簡単な説明】
【００１４】
【図１】（Ａ）、（Ｂ）、（Ｃ）  実施例１のズームレンズの広角端、中間ズーム位置、望遠端におけるレンズ断面図
【図２】（Ａ）、（Ｂ）、（Ｃ）  実施例１の広角端、中間ズーム位置、望遠端における収差図
【図３】（Ａ）、（Ｂ）、（Ｃ）  実施例２のズームレンズの広角端、中間ズーム位置、望遠端におけるレンズ断面図
【図４】（Ａ）、（Ｂ）、（Ｃ）  実施例２の広角端、中間ズーム位置、望遠端における収差図
【図５】（Ａ）、（Ｂ）、（Ｃ）  実施例３のズームレンズの広角端、中間ズーム位置、望遠端におけるレンズ断面図
【図６】（Ａ）、（Ｂ）、（Ｃ）  実施例３の広角端、中間ズーム位置、望遠端における収差図
【図７】（Ａ）、（Ｂ）、（Ｃ）  実施例４のズームレンズの広角端、中間ズーム位置、望遠端におけるレンズ断面図
【図８】（Ａ）、（Ｂ）、（Ｃ）  実施例４の広角端、中間ズーム位置、望遠端における収差図
【図９】（Ａ）、（Ｂ）、（Ｃ）  実施例５のズームレンズの広角端、中間ズーム位置、望遠端におけるレンズ断面図
【図１０】（Ａ）、（Ｂ）、（Ｃ）  実施例５の広角端、中間ズーム位置、望遠端における収差図
【図１１】（Ａ）、（Ｂ）、（Ｃ）  実施例６のズームレンズの広角端、中間ズーム位置、望遠端におけるレンズ断面図
【図１２】（Ａ）、（Ｂ）、（Ｃ）  実施例６の広角端、中間ズーム位置、望遠端における収差図
【図１３】本発明の撮像装置の要部概略図
【発明を実施するための形態】
【００１５】
以下に、本発明の好ましい実施の形態を、添付の図面に基づいて詳細に説明する。本発明のズームレンズは、物体側より像側へ順に、正の屈折力（光学的パワー＝焦点距離の逆数）の第１レンズ群Ｌ１、負の屈折力の第２レンズ群Ｌ２、正の屈折力の第３レンズ群、１つ以上のレンズ群を含む後群より構成している。ズーミングに際して隣り合うレンズ群の間隔が変化する。後群は負の屈折力のレンズ群ＬＲを有している。
【００１６】
図１（Ａ）、（Ｂ）、（Ｃ）は本発明の実施例１のズームレンズの広角端（短焦点距離端）、中間ズーム位置、望遠端（長焦点距離端）におけるレンズ断面図である。図２（Ａ）、（Ｂ）、（Ｃ）は、それぞれ、実施例１の無限遠に合焦（フォーカス）した状態での、広角端、中間ズーム位置、望遠端における収差図である。実施例１はズーム比４．１１、Ｆナンバー３．９４〜５．８３のズームレンズである。
【００１７】
図３（Ａ）、（Ｂ）、（Ｃ）は本発明の実施例２のズームレンズの広角端、中間ズーム位置、望遠端におけるレンズ断面図である。図４（Ａ）、（Ｂ）、（Ｃ）は、それぞれ、実施例２の無限遠に合焦した状態での、広角端、中間ズーム位置、望遠端における収差図である。実施例２はズーム比３．８１、Ｆナンバー３．８３〜５．８５のズームレンズである。
【００１８】
図５（Ａ）、（Ｂ）、（Ｃ）は本発明の実施例３のズームレンズの広角端、中間ズーム位置、望遠端におけるレンズ断面図である。図６（Ａ）、（Ｂ）、（Ｃ）は、それぞれ、実施例３の無限遠に合焦した状態での、広角端、中間ズーム位置、望遠端における収差図である。実施例３はズーム比４．６６、Ｆナンバー４．０４〜５．７７のズームレンズである。
【００１９】
図７（Ａ）、（Ｂ）、（Ｃ）は本発明の実施例４のズームレンズの広角端、中間ズーム位置、望遠端におけるレンズ断面図である。図８（Ａ）、（Ｂ）、（Ｃ）は、それぞれ、実施例４の無限遠に合焦した状態での、広角端、中間ズーム位置、望遠端における収差図である。実施例４はズーム比４．０６、Ｆナンバー４．００〜５．８３のズームレンズである。
【００２０】
図９（Ａ）、（Ｂ）、（Ｃ）は本発明の実施例５のズームレンズの広角端、中間ズーム位置、望遠端におけるレンズ断面図である。図１０（Ａ）、（Ｂ）、（Ｃ）は、それぞれ、実施例５の無限遠に合焦した状態での、広角端、中間ズーム位置、望遠端における収差図である。実施例５はズーム比４．２２、Ｆナンバー４．１６〜５．８３のズームレンズである。
【００２１】
図１１（Ａ）、（Ｂ）、（Ｃ）は本発明の実施例６のズームレンズの広角端、中間ズーム位置、望遠端におけるレンズ断面図である。図１２（Ａ）、（Ｂ）、（Ｃ）は、それぞれ、実施例６の無限遠に合焦した状態での、広角端、中間ズーム位置、望遠端における収差図である。実施例６はズーム比４．２５、Ｆナンバー４．１６〜５．８３のズームレンズである。
【００２２】
図１３は本発明の撮像装置の要部概略図である。
【００２３】
各実施例のズームレンズはビデオカメラ、デジタルスチルカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。
【００２４】
ＧＬＲは１つ以上のレンズ群を含む後群である。ＬＲは後群ＧＬＲに含まれる負の屈折力のレンズ群である。レンズ群ＬＲは１枚以上の正レンズと、１枚以上の負レンズを有する。
【００２５】
ＳＰは開放Ｆナンバー（Ｆｎｏ）の光束を決定（制限）する開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。矢印は広角端から望遠端へのフォーカシングに際しての各レンズ群の移動軌跡を示す。
【００２６】
フォーカスに関する矢印は無限遠から近距離へのフォーカシングに際してのレンズ群の移動方向を示している。
【００２７】
実施例１乃至３において、Ｌ１は正の屈折力の第１レンズ群、Ｌ２は負の屈折力の第２レンズ群、Ｌ３は正の屈折力の第３レンズ群である。Ｌ４は正の屈折力の第４レンズ群、Ｌ５は負の屈折力の第５レンズ群、Ｌ６は正の屈折力の第６レンズ群、Ｌ７は負の屈折力の第７レンズ群である。後群ＧＬＲは第４レンズ群Ｌ４乃至第７レンズ群Ｌ７より構成されている。第７レンズ群Ｌ７がレンズ群ＬＲに相当している。
【００２８】
実施例１乃至３のズームレンズは、広角端から望遠端へのズーミングに際して、第１レンズ群Ｌ１、第３レンズ群Ｌ３、第４レンズ群Ｌ４、第５レンズ群Ｌ５、第６レンズ群Ｌ６、第７レンズ群Ｌ７（ＬＲ）は物体側に単調移動している。第２レンズ群Ｌ２は不動である。広角端に比べて望遠端での第１レンズ群Ｌ１と第２レンズ群Ｌ２との間隔は広く、第２レンズ群Ｌ２と第３レンズ群Ｌ３の間隔は狭く、第６レンズ群Ｌ６と第７レンズ群Ｌ７（ＬＲ）の間隔は狭くなるようにしてズーミングを行っている。
【００２９】
実施例４において、Ｌ１は正の屈折力の第１レンズ群、Ｌ２は負の屈折力の第２レンズ群、Ｌ３は正の屈折力の第３レンズ群である。Ｌ４は正の屈折力の第４レンズ群、Ｌ５は負の屈折力の第５レンズ群、Ｌ６は負の屈折力の第６レンズ群である。後群ＧＬＲは第４レンズ群Ｌ４乃至第６レンズ群Ｌ６より構成されている。第６レンズ群Ｌ６がレンズ群ＬＲに相当している。
【００３０】
実施例４のズームレンズは、広角端から望遠端へのズーミングに際して、第１レンズ群Ｌ１、第３レンズ群Ｌ３、第４レンズ群Ｌ４、第５レンズ群Ｌ５、第６レンズ群Ｌ６（ＬＲ）は物体側に単調移動している。第２レンズ群Ｌ２は不動である。広角端に比べて望遠端での第１レンズ群Ｌ１と第２レンズ群Ｌ２との間隔は広く、第２レンズ群Ｌ２と第３レンズ群Ｌ３の間隔は狭く、第５レンズ群Ｌ５と第６レンズ群Ｌ６（ＬＲ）の間隔は狭くなるようにズーミングを行っている。
【００３１】
実施例５において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。後群ＧＬＲは第４レンズ群Ｌ４より構成されている。第４レンズ群Ｌ４がレンズ群ＬＲに相当している。
【００３２】
実施例５のズームレンズは、広角端から望遠端へのズーミングに際して、第１レンズ群Ｌ１、第３レンズ群Ｌ３、第４レンズ群Ｌ４は物体側に単調移動している。第２レンズ群Ｌ２は像側へ移動している。そして広角端に比べ望遠端での第１レンズ群Ｌ１と第２レンズ群Ｌ２との間隔が広く、第２レンズ群Ｌ２と第３レンズ群Ｌ３の間隔、および第３レンズ群Ｌ３と第４レンズ群Ｌ４（ＬＲ）の間隔が狭くなるようにズーミングを行っている。
【００３３】
の実施例６において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。後群ＧＬＲは第４レンズ群Ｌ４と第５レンズ群Ｌ５より構成されている。第４レンズ群がレンズ群ＬＲに相当している。
【００３４】
実施例６のズームレンズは、広角端から望遠端へのズーミングに際して、第１レンズ群Ｌ１、第３レンズ群Ｌ３、第４レンズ群Ｌ４は物体側に単調移動している。第２レンズ群Ｌ２は像側へ移動している。第５レンズ群Ｌ５は不動である。そして広角端に比べ望遠端での第１レンズ群Ｌ１と第２レンズ群Ｌ２との間隔が広く、第２レンズ群Ｌ２と第３レンズ群Ｌ３の間隔、および第３レンズ群Ｌ３と第４レンズ群Ｌ４（ＬＲ）の間隔が狭くなるようにしてズーミングを行っている。
【００３５】
実施例１乃至３において、第３レンズ群Ｌ３、第４レンズ群Ｌ４、第５レンズ群Ｌ５を一体化して、ズーミングの際に一体的に移動させても良い。実施例４において、第３レンズ群Ｌ３、第４レンズ群Ｌ４、第５レンズ群Ｌ５を一体化して、ズーミングの際に一体的に移動させても良い。
【００３６】
また、各実施例においては、像ぶれ補正に際して第２レンズ群Ｌ２を光軸に対して垂直方向の成分を含む方向に移動させることにより、補正する防振光学系として機能させても良い。
【００３７】
実施例１乃至５においてレンズ群ＬＲは後群ＧＬＲの最も像側に配置されている。
【００３８】
収差図においてＦｎｏはＦナンバー、ωは半画角（度）であり、光線追跡値による画角である。球面収差図において、実線のｄはｄ線（波長５８７．５６ｎｍ）、二点鎖線のｇはｇ線（波長４３５．８３５ｎｍ）、一点鎖線のＣはＣ線（波長６５６．２７ｎｍ）、破線のＦはＦ線（波長４８６．１３ｎｍ）である。非点収差図において実線のΔＳはｄ線におけるサジタル像面、破線のΔＭはｄ線におけるメリディオナル像面である。歪曲収差はｄ線について示している。倍率色収差図において二点鎖線のｇはｇ線、一点鎖線のＣはＣ線、破線のＦはＦ線である。
【００３９】
本発明のズームレンズは、物体側から像側へ順に配置された、正の屈折力の第１レンズ群Ｌ１、負の屈折力の第２レンズ群Ｌ２、正の屈折力の第３レンズ群Ｌ３、１つ以上のレンズ群を含む後群ＧＬＲより構成されている。そしてズーミングに際して隣り合うレンズ群の間隔が変化する。
【００４０】
後群ＧＬＲは負の屈折力のレンズ群ＬＲを有し、レンズ群ＬＲは１枚以上の正レンズと１枚以上の負レンズを有している。レンズ群ＬＲに含まれる負レンズの内、材料のアッベ数が最も大きな材料よりなる負レンズを負レンズＬＲＮとする。そして負レンズＬＲＮの材料の異常部分分散比をΔθｇＦとする。このとき、
０．０＜ΔθｇＦ＜０．３    ・・・（１）
なる条件式を満たしている。
【００４１】
望遠端におけるレンズ群ＬＲの像側のレンズ面から像面までの距離をｂｆｔ、広角端におけるレンズ群ＬＲの像側のレンズ面から像面までの距離をｂｆｗ、レンズ群ＬＲの焦点距離をｆｒとする。このとき、
３．５＜ｂｆｔ／ｂｆｗ＜５０．０      ・・・（２）
−１００．０＜ｆｒ／ｂｆｗ＜−５．０  ・・・（３）
なる条件式を満足する。
【００４２】
尚、材料のアッベ数νｄ、部分分散比θｇＦ、異常部分分散比（異常部分分散性）ΔθｇＦは次の式で表される。
【００４３】
ｇ線、Ｆ線、ｄ線、Ｃ線に対する材料の屈折率をそれぞれｎｇ，ｎｄ，ｎＦ，ｎＣとする。このとき以下の式で表される。
νｄ＝（ｎｄ−１）／（ｎＦ−ｎＣ）
θｇＦ＝（ｎｇ−ｎＦ）／（ｎＦ−ｎＣ）
ΔθｇＦ＝θｇＦ−（−１．６６５×１０−７×νｄ３＋５．２１３×１０−５×νｄ２−５．６５６×１０−３×νｄ＋０．７２７８）
次に前述の各条件式の技術的意味について説明する。
【００４４】
条件式（１）は、レンズ群ＬＲに含まれる負レンズＬＲＮの材料の異常部分分散比に関する。ズームレンズにおいて、レンズ全長の短縮のため、物体側から像側へ順に正、負、正の屈折力の第１レンズ群乃至第３レンズ群、そして、その像側の後群を負の屈折力となるレンズ構成にすると、望遠端においてｇ線の倍率色収差はアンダー側に発生する。
【００４５】
一般的に、望遠型のズームレンズでは望遠端の光学性能が良好であることが要求されることが多い。このためレンズ群ＬＲに含まれる負レンズＬＲＮに、異常部分分散性をもつ材料、すなわちΔθｇＦが０より大きな材料を用いて、レンズ全長の短縮によって増加した望遠端における色収差を良好に補正している。
【００４６】
条件式（１）の下限値を下回ると、望遠端において倍率色収差を補正することが困難となる。一方、条件式（１）の上限値を上回ると、広角端および望遠端において軸上色収差および倍率色収差の補正が困難となる。
【００４７】
条件式（２）は、望遠端におけるレンズ群ＬＲの最終レンズ面から像面までの距離と、広角端におけるレンズ群ＬＲの最終レンズ面から像面までの距離の比を適切に設定するためのものである。
【００４８】
前述のように、レンズ群ＬＲに含まれる負レンズＬＲＮにΔθｇＦ＞０なる材料を使用した場合、広角端においては、ｇ線の倍率色収差はオーバー側に発生している。近軸理論によれば、倍率色収差は近軸軸上光線の入射高さと瞳近軸光線の入射高さの積に比例する。この理論の下、瞳近軸光線の入射高さが高く、近軸軸上光線の入射高さが低くなる像面付近にレンズ群ＬＲを配置することで、影響を少なくしている。
【００４９】
そして、望遠端では近軸軸上光線の入射高さと瞳近軸光線の入射高さの積が大きくなる、像面から離れた箇所にレンズ群ＬＲを配置することで倍率色収差の補正を行っている。また、レンズ群ＬＲは望遠端において、レンズ群ＬＲより前方のレンズ群で発生した諸収差の補正を効果的に行っている。
【００５０】
ここで近軸軸上光線とは、光学系全系の焦点距離を１に正規化し、光学系の光軸と平行に、光軸からの入射高さ１の光を入射させたときの近軸光線である。
【００５１】
また、瞳近軸光線とは、光学系全系の焦点距離を１に正規化し、光軸に対して−４５°で入射する光線の内、光学系の入射瞳と光軸との交点を通過する近軸光線である。ここで、光学系への入射角度は、光軸から測って時計回りを正、反時計回りを負とする。
【００５２】
条件式（２）の下限値を下回ると、広角端において倍率色収差が増加、または望遠端において倍率色収差の補正が困難となる。一方、条件式（２）の上限値を上回ると、望遠端でのレンズ群ＬＲの最終レンズ面から像面までの距離が長くなりすぎるため、望遠端において倍率色収差の補正が困難となる。
【００５３】
条件式（３）は、広角端におけるレンズ群ＬＲの最終レンズ面から像面までの距離と、レンズ群ＬＲの焦点距離の比を適切にするためのものである。条件式（３）の下限値を下回ると、レンズ群ＬＲの負の屈折力が弱くなる（負の屈折力の絶対値が小さくなる）ため、レンズ全長の短縮化が困難となる。一方、条件式（３）の上限値を上回ると、レンズ群ＬＲの負の焦点距離が短くなる（負の屈折力が強くなる）ため、像面への軸外光線の入射角が大きくなる。そうすると撮像素子の斜入射光特性の影響を受け、シェーディング等が発生するため、好ましくない。
【００５４】
各実施例において更に好ましくは条件式（１）乃至（３）の数値範囲を次の如く設定するのが良い。
０．０１＜ΔθｇＦ＜０．１０          ・・・（１ａ）
３．６＜ｂｆｔ／ｂｆｗ＜３０．０      ・・・（２ａ）
−８０．０＜ｆｒ／ｂｆｗ＜−５．０    ・・・（３ａ）
更に好ましくは条件式（１ａ）乃至（３ａ）の数値範囲を次の如く設定するのが良い。
０．０１＜ΔθｇＦ＜０．０３          ・・・（１ｂ）
３．７＜ｂｆｔ／ｂｆｗ＜２５．０      ・・・（２ｂ）
−６０．０＜ｆｒ／ｂｆｗ＜−５．０    ・・・（３ｂ）
各実施例において好ましくは次の条件式のうち１つ以上を満足するのが良い。望遠端におけるレンズ全長（最も物体側のレンズ面から像面までの距離）をＴＬｔ、広角端から望遠端へのズーミングに際してのレンズ群ＬＲの移動量をＭｒとする。ここでレンズ群の移動量とは、広角端におけるレンズ群の光軸上の位置と望遠端におけるレンズ群の光軸上の位置の差をいう。移動量の符号は広角端に比べて望遠端においてレンズ群が像側に位置するときを正、物体側に位置するときを負とする。
【００５５】
レンズ群ＬＲの最も像側のレンズ面の有効径をｅａｒとする。負レンズＬＲＮの焦点距離をｆｒｎとする。広角端における第２レンズ群Ｌ２と第３レンズ群Ｌ３の光軸上の間隔をＤ２３ｗ、望遠端における第２レンズ群Ｌ２と第３レンズ群Ｌ３のレンズ間隔をＤ２３ｔとする。広角端における全系の焦点距離をｆｗとする。望遠端における全系の焦点距離をｆｔとする。第１レンズ群の焦点距離をｆ１とする。無限遠に合焦した状態での広角端と望遠端におけるレンズ群ＬＲの横倍率をそれぞれβｒｗ、βｒｔとする。
−１０．０＜ＴＬｔ／Ｍｒ＜―２．０      ・・・（４）
２．０＜ｅａｒ／ｂｆｗ＜１０．０        ・・・（５）
−３０．０＜ｆｒｎ／ｂｆｗ＜−２．０    ・・・（６）
２．０＜Ｄ２３ｗ／Ｄ２３ｔ＜２０．０    ・・・（７）
４．０＜ｆｗ／ｂｆｗ＜２５．０          ・・・（８）
３．０＜ｆｔ／ｂｆｔ＜６．０            ・・・（９）
０．２＜ｆ１／ｆｔ＜１．１              ・・・（１０）
１．０＜βｒｔ／βｒｗ＜２．５          ・・・（１１）
次に前述の各条件式の技術的意味について説明する。
【００５６】
条件式（４）は、望遠端におけるレンズ全長と、広角端から望遠端へのズーミングに際してのレンズ群ＬＲの移動量の比を適切にするためのものである。条件式（４）の上限を上回ると、レンズ群ＬＲの移動量が大きくなりすぎて、望遠端において倍率色収差の補正が困難となる。一方、条件式（４）の下限を下回ると、レンズ群ＬＲの移動量が少なくなり、望遠端において倍率色収差や球面収差等の補正が困難となる。また、条件式（４）が正の値をとると、レンズ群ＬＲは広角端から望遠端へのズーミングに際し像側へ移動するため、望遠端での倍率色収差の補正が困難となる。
【００５７】
条件式（５）は、レンズ群ＬＲの最も像側のレンズ面の有効径と、広角端におけるレンズ群ＬＲの最終レンズ面から像面までの距離の比を適切にするためのものである。条件式（５）の上限を上回ると、レンズ群ＬＲの最も像側のレンズ面の有効径が大きくなり、光学系が大型化するため、好ましくない。
【００５８】
一方、条件式（５）の下限を下回ると、広角端におけるレンズ群ＬＲの最終レンズ面から像面までの距離が長くなりすぎるため、広角端において倍率色収差の補正が困難となる。または、レンズ群ＬＲの最も像側のレンズ面の有効径が小さくなりすぎるため、撮像素子への光束の斜入射光特性の影響を受け、シェーディング等が発生するため、好ましくない。
【００５９】
条件式（６）は、条件式（１）を満たすレンズ群ＬＲに含まれる負レンズＬＲＮの焦点距離と、広角端におけるレンズ群ＬＲの最終レンズ面から像面までの距離の比を適切にするためのものである。条件式（６）の上限を上回ると、広角端におけるレンズ群ＬＲの最終レンズ面から像面までの距離が長くなる、またはレンズ群ＬＲに含まれる負レンズＬＲＮの負の焦点距離が短くなる（負の屈折力が強くなる）。そうすると、色収差をはじめとする諸収差の補正が困難となってくる。
【００６０】
一方、条件式（６）の下限を下回ると、レンズ群ＬＲに含まれる負レンズＬＲＮの負の焦点距離が長くなりすぎる（負の屈折力が弱くなる）。そうすると、望遠端において倍率色収差の補正が困難となる。
【００６１】
条件式（７）は、広角端と望遠端とにおける第２レンズ群Ｌ２と第３レンズ群Ｌ３との光軸上の空気間隔の比を適切にするためのものである。条件式（６）の上限を上回ると、広角端でのレンズ全長が長くなり、全系の小型化が困難となる。一方、条件式（６）の下限を下回ると、望遠端でのレンズ全長が長くなる上に、前玉有効径が増大し、全系が大型化するため好ましくない。
【００６２】
条件式（８）は、広角端における全系の焦点距離と広角端におけるレンズ群ＬＲの最終レンズ面から像面までの距離の比を適切にするためのものである。条件式（８）の上限を上回ると、広角端におけるレンズ群ＬＲの最終面から像面までの距離が短くなり、広角端において倍率色収差の補正が容易となるが、撮像装置が要求する長さのバックフォーカスを確保することが困難となる。
【００６３】
一方、条件式（８）の下限を下回ると、広角端におけるレンズ群ＬＲの最終レンズ面から像面までの距離が長くなりすぎて、広角端において倍率色収差の補正が困難となる。
【００６４】
条件式（９）は、望遠端における全系の焦点距離と、望遠端におけるレンズ群ＬＲの最終レンズ面から像面までの距離の比を適切にするためのものである。条件式（９）の上限を上回ると、望遠端においてレンズ群ＬＲの最終レンズ面から像面までの距離が短くなりすぎて、望遠端において倍率色収差や球面収差の補正が困難となる。
【００６５】
更にレンズ群ＬＲによる変倍分担が減ることで、物体側のレンズ群に変倍の負担がかかるため、好ましくない。一方、条件式（９）の下限を下回ると、望遠端においてレンズ群ＬＲの最終レンズ面から像面までの距離が長くなりすぎて、望遠端において倍率色収差の補正が困難となる。
【００６６】
条件式（１０）は、第１レンズ群Ｌ１の焦点距離と、望遠端における全系の焦点距離の比を適切にするためのものである。条件式（１０）の上限を上回り、第１レンズ群Ｌ１の焦点距離が長くなりすぎると、レンズ全長が増大しやすくなり、全系の小型化が困難となる。一方、条件式（１０）の下限を下回り、第１レンズ群Ｌ１の焦点距離が短くなりすぎると、球面収差等の諸収差が多く発生し、高い光学性能を得るのが困難となる。
【００６７】
条件式（１１）は、広角端から望遠端へのズーミングに際してのレンズ群ＬＲの横倍率変化に関するものである。条件式（１１）の上限を上回ると、レンズ群ＬＲの変倍分担が大きくなりすぎて、高い光学性能を得るのが困難となる。一方、条件式（１１）の下限を下回ると、他のレンズ群の変倍分担が大きくなり、望遠端において光学性能を得るのが困難となり、またレンズ全長が増大するため、好ましくない。
【００６８】
更に好ましくは条件式（４）乃至（１１）の数値範囲を次の如く設定するのが良い。
−８．０＜ＴＬｔ／Ｍｒ＜−３．０        ・・・（４ａ）
２．０＜ｅａｒ／ｂｆｗ＜９．８          ・・・（５ａ）
−２５．０＜ｆｒｎ／ｂｆｗ＜−２．２    ・・・（６ａ）
２．５＜Ｄ２３ｗ／Ｄ２３ｔ＜１５．０    ・・・（７ａ）
４．２＜ｆｗ／ｂｆｗ＜２４．５          ・・・（８ａ）
３．１＜ｆｔ／ｂｆｔ＜５．８            ・・・（９ａ）
０．３＜ｆ１／ｆｔ＜０．８              ・・・（１０ａ）
１．１＜βｒｔ／βｒｗ＜２．３          ・・・（１１ａ）
さらに好ましくは条件式（４ａ）乃至（１１ａ）の数値範囲を次の如く設定するのが良い。
−７．０＜ＴＬｔ／Ｍｒ＜−３．０        ・・・（４ｂ）
２．２＜ｅａｒ／ｂｆｗ＜９．６          ・・・（５ｂ）
−２３．０＜ｆｒｎ／ｂｆｗ＜−２．５    ・・・（６ｂ）
３．５＜Ｄ２３ｗ／Ｄ２３ｔ＜１４．０    ・・・（７ｂ）
４．４＜ｆｗ／ｂｆｗ＜２４．０          ・・・（８ｂ）
３．２＜ｆｔ／ｂｆｔ＜５．７            ・・・（９ｂ）
０．３５＜ｆ１／ｆｔ＜０．７０          ・・・（１０ｂ）
１．１２＜βｒｔ／βｒｗ＜２．１０      ・・・（１１ｂ）
以上、本発明の好ましい実施形態について説明したが、本発明はこれらの実施形態に限定されず、その要旨の範囲内で種々の変形及び変更が可能である。
【００６９】
次に本発明のズームレンズを撮像光学系として用いたデジタルスチルカメラ（撮像装置）の実施例に関して図１３を用いて説明する。
【００７０】
図１３において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００７１】
以下に、実施例１乃至６に各々対応する数値データ１乃至６を示す。各数値データにおいて、ｉは物体側から数えた面の順番を示す。ｒｉは各面の曲率半径、ｄｉは第ｉ面と第ｉ＋１面間のレンズ厚及び空気間隔、ｎｄｉとνｄｉはそれぞれ、ｄ線を基準とした光学材料の屈折率とアッベ数である。ｎｇ、ｎＣ、ｎＦはそれぞれ、ｇ線、Ｃ線、Ｆ線を基準とした光学材料の屈折率である。ＢＦはバックフォーカスである。
【００７２】
入射瞳位置は最も物体側のレンズ面（第１レンズ面）から入射瞳までの距離、射出瞳位置は最も像側のレンズ面（最終レンズ面）から射出瞳までの距離、前側主点位置は第１レンズ面から前側主点までの距離である。後側主点位置は最終レンズ面から後側主点までの距離で、各数値は近軸量であり、符号は物体側から像側の向きを正とする。また、前述の各条件式と実施例１乃至６の関係をそれぞれ表１に示す。
【００７３】
［数値データ１］
単位 mm
面データ
面番号    r      d     nd       ng       nC       nF      νd    有効径
1     62.635  2.10  1.91082  1.94412  1.90323  1.92907   35.3    50.30
2     47.415  8.38  1.49700  1.50451  1.49514  1.50123   81.5    48.83
3   3523.567  (可変)                                             48.48
4   -208.214  1.60  1.60311  1.61541  1.60008  1.61002   60.6    27.18
5    105.615  1.72                                               25.88
6   -190.788  1.60  1.77250  1.79197  1.76780  1.78337   49.6    25.67
7     28.676  3.20  1.85478  1.90045  1.84488  1.87935   24.8    25.77
8     81.766  (可変)                                             25.79
9(絞り)    ∞  0.98                                              26.03
10    148.532  3.30  1.77250  1.79197  1.76780  1.78337   49.6    26.52
11    -59.434  0.15                                               26.63
12     41.363  7.34  1.49700  1.50451  1.49514  1.50123   81.5    26.03
13    -40.190  1.25  2.00100  2.04600  1.99105  2.02540   29.1    25.06
14   -786.799  (可変)                                             24.89
15    -67.421  1.30  1.91082  1.94412  1.90323  1.92907   35.3    24.32
16   -113.659  5.33                                               24.50
17  -3917.886  3.10  1.60311  1.61541  1.60008  1.61002   60.6    24.52
18    -47.049  (可変)                                             24.52
19    773.462  2.50  1.72047  1.74723  1.71437  1.73512   34.7    19.33
20    -85.797  1.15  1.53775  1.54664  1.53555  1.54275   74.7    18.82
21     29.541  (可変)                                             18.66
22    409.189  3.42  1.48749  1.49596  1.48534  1.49228   70.2    27.63
23    -50.100  (可変)                                             27.90
24    -40.723  3.50  1.81600  1.83800  1.81075  1.82825   46.6    32.63
25    -34.807  1.00                                               33.89
26    -40.647  2.00  1.53775  1.54664  1.53555  1.54275   74.7    33.96
27    248.145  (可変)                                             36.12
像面        ∞   
【００７４】
各種データ
ズーム比     4.11 
広角     中間     望遠
焦点距離      71.40   136.34   293.23  
Fナンバー      3.94     4.72     5.83  
半画角（度）  16.86     9.02     4.22  
像高          21.64    21.64    21.64  
レンズ全長   165.00   202.23   235.83  
BF            12.14    31.67    72.45  
d 3            4.00    41.23    74.83  
d 8           32.46    19.82     1.77  
d14            6.20     2.93     5.32  
d18            1.97     5.42     3.01  
d21           15.91    25.48    20.91  
d23           37.39    20.75     2.61  
d27           12.14    31.67    72.45  
入射瞳位置    43.20   110.32   187.19  
射出瞳位置   -52.03   -55.02   -48.17  
前側主点位置  35.15    32.24  -232.41  
後側主点位置 -59.26  -104.67  -220.78  
ズームレンズ群データ
群  始面    焦点距離  レンズ構成長  前側主点位置  後側主点位置
1    1     171.84        10.48        -1.81         -8.47
2    4     -48.25         8.12         3.02         -2.22
3    9      48.90        13.03        -0.29         -8.38
4   15     127.17         9.73        13.46          6.22
5   19     -66.32         3.65         2.45          0.24
6   22      91.78         3.42         2.05         -0.25
7   24     -85.91         6.50         0.17         -3.99
単レンズデータ
レンズ  始面  焦点距離
1       1   -229.31
2       2     96.63
3       4   -115.96
4       6    -32.17
5       7     50.27
6      10     55.33
7      12     42.28
8      13    -42.35
9      15   -184.43
10      17     78.93
11      19    107.33
12      20    -40.72
13      22     91.78
14      24    231.94
15      26    -64.79
【００７５】
［数値データ２］
単位 mm
面データ
面番号    r      d     nd       ng       nC       nF      νd    有効径
1    82.361  6.50  1.73800  1.76768  1.73131  1.75418   32.3    66.64
2   194.568  0.50                                               65.81
3    95.804  2.10  2.00100  2.04600  1.99105  2.02540   29.1    64.54
4    53.920  11.00 1.49700  1.50451  1.49514  1.50123   81.5    61.24
5   314.541  (可変)                                             60.38
6  -847.034   2.00 1.88300  1.91050  1.87656  1.89822   40.8    32.25
7    91.801   2.96                                              31.87
8  -119.820   1.60 1.77250  1.79197  1.76780  1.78337   49.6    31.93
9    45.032   4.50 1.84666  1.89419  1.83649  1.87210   23.8    32.97
10   391.560  (可変)                                             33.21
11  1332.803   3.30 1.69895  1.72941  1.69222  1.71542   30.1    34.59
12  -109.717   0.15                                              34.91
13    78.477   6.73 1.49700  1.50451  1.49514  1.50123   81.5    35.22
14   -73.459   1.50 2.00100  2.04600  1.99105  2.02540   29.1    34.97
15  -276.058   0.90                                              35.14
16(絞り) ∞   (可変)                                             35.10
17    68.654   5.00 1.48749  1.49596  1.48534  1.49228   70.2    34.97
18  -134.896   0.27                                              34.73
19   171.717   6.00 1.59522  1.60612  1.59255  1.60134   67.7    33.92
20   -45.192   0.52                                              33.33
21   -43.734   2.50 1.95375  1.99206  1.94513  1.97465   32.3    32.66
22  -126.835  (可変)                                             32.27
23  -305.444   2.50 1.76182  1.79992  1.75357  1.78230   26.5    23.08
24  -180.266   1.15 1.53775  1.54664  1.53555  1.54275   74.7    22.50
25    40.652  (可変)                                             21.60
26   882.399   3.66 1.48749  1.49596  1.48534  1.49228   70.2    29.76
27   -49.376  (可変)                                             30.02
28   -40.607   3.50 1.88300  1.91050  1.87656  1.89822   40.8    37.57
29   -28.940   1.00                                              38.10
30   -27.643   2.00 1.49700  1.50451  1.49514  1.50123   81.5    37.78
31   161.816  (可変)                                             41.32
像面    ∞   
【００７６】
各種データ
ズーム比     3.81 
広角     中間     望遠
焦点距離     102.21   195.97   389.86  
Fナンバー      3.83     4.93     5.85  
半画角（度）  11.95     6.30     3.18  
像高          21.64    21.64    21.64  
レンズ全長   204.85   250.29   291.30  
BF             4.31    31.68    97.49  
d 5            5.99    51.44    92.45  
d10           17.29     9.08     4.39  
d16           13.40    13.23     5.03  
d22            8.27     4.79     1.77  
d25           23.57    27.83    15.79  
d27           60.17    40.38     2.54  
d31            4.31    31.68    97.49  
入射瞳位置    55.83   157.25   360.55  
射出瞳位置   -59.82   -58.89   -36.46  
前側主点位置  -4.89   -70.79  -384.28  
後側主点位置 -97.90  -164.29  -292.37  
ズームレンズ群データ
群  始面    焦点距離  レンズ構成長  前側主点位置  後側主点位置
1    1     196.66        20.10        -7.70        -19.69
2    6     -55.70        11.06         2.47         -4.81
3   11      98.48        12.58         0.73         -7.45
4   17      76.29        14.30         1.53         -7.72
5   23     -68.80         3.65         1.85         -0.31
6   26      96.04         3.66         2.33         -0.13
7   28     -85.28         6.50         0.54         -3.57
単レンズデータ
レンズ  始面  焦点距離
1       1    188.87
2       3   -126.38
3       4    129.13
4       6    -93.71
5       8    -42.19
6       9     59.74
7      11    145.17
8      13     77.48
9      14   -100.37
10      17     94.09
11      19     60.73
12      21    -71.03
13      23    572.44
14      24    -61.57
15      26     96.04
16      28    100.00
17      30    -47.34
【００７７】
［数値データ３］
単位 mm
面データ
面番号    r      d     nd       ng       nC       nF      νd    有効径
1    62.312  2.10  1.91082  1.94412  1.90323  1.92907   35.3    52.89
2    47.706  9.00  1.49700  1.50451  1.49514  1.50123   81.5    51.00
3      ∞    (可変)                                             50.45
4 -9785.177  1.60  1.60311  1.61541  1.60008  1.61002   60.6    28.05
5    81.009  2.00                                               26.22
6  -131.827  1.60  1.77250  1.79197  1.76780  1.78337   49.6    25.95
7    20.760  3.80  1.85478  1.90045  1.84488  1.87935   24.8    23.66
8    55.309  (可変)                                             23.09
9(絞り)∞    0.98                                               19.72
10    90.750  2.50  1.77250  1.79197  1.76780  1.78337   49.6    20.13
11   -70.028  0.15                                               20.20
12    30.007  4.72  1.49700  1.50451  1.49514  1.50123   81.5    19.86
13   -26.703  1.25  2.00100  2.04600  1.99105  2.02540   29.1    19.54
14  1501.833  (可変)                                             19.61
15    86.461  3.10  1.60311  1.61541  1.60008  1.61002   60.6    19.94
16   -39.357  (可変)                                             19.88
17  -117.186  2.50  1.72047  1.74723  1.71437  1.73512   34.7    16.25
18   -29.664  1.15  1.53775  1.54664  1.53555  1.54275   74.7    15.86
19    20.693  (可変)                                             15.08
20    78.249  4.00  1.48749  1.49596  1.48534  1.49228   70.2    25.47
21   -48.824  (可変)                                             25.65
22   -36.762  3.50  1.61340  1.63091  1.60925  1.62311   44.3    29.36
23   -25.785  1.00                                               30.21
24   -26.831  2.00  1.59522  1.60612  1.59255  1.60134   67.7    30.19
25   248.145  (可変)                                             33.62
像面        ∞   
【００７８】
各種データ
ズーム比     4.66 
広角     中間     望遠
焦点距離      51.80   126.89   241.22  
Fナンバー      4.04     5.18     5.77  
半画角（度）  22.67     9.68     5.13  
像高          21.64    21.64    21.64  
レンズ全長   136.91   175.70   210.70  
BF            11.36    30.93    42.48  
d 3            3.37    42.15    77.15  
d 8           28.67    11.09     2.49  
d14            5.68     2.00     5.04  
d16            0.68     4.67     3.50  
d19            9.87    22.26    28.09  
d21           30.32    15.64     5.00  
d25           11.36    30.93    42.48  
入射瞳位置    39.97   104.61   216.21  
射出瞳位置   -35.51   -40.33   -45.19  
前側主点位置  34.53     5.54  -206.26  
後側主点位置 -40.44   -95.96  -198.74  
ズームレンズ群データ
群  始面    焦点距離  レンズ構成長  前側主点位置  後側主点位置
1    1     164.42        11.10        -1.57         -8.66
2    4     -39.13         9.00         4.00         -1.82
3    9      53.52         9.60        -1.61         -7.47
4   15      45.26         3.10         1.34         -0.61
5   17     -38.24         3.65         1.84         -0.34
6   20      62.32         4.00         1.67         -1.04
7   22     -57.61         6.50         1.62         -2.70
単レンズデータ
レンズ  始面  焦点距離
1       1   -239.89
2       2     95.99
3       4   -133.21
4       6    -23.11
5       7     37.01
6      10     51.52
7      12     29.24
8      13    -26.20
9      15     45.26
10      17     54.48
11      18    -22.49
12      20     62.32
13      22    125.56
14      24    -40.57
【００７９】
［数値データ４］
単位 mm
面データ
面番号    r      d     nd       ng       nC       nF      νd    有効径
1    70.673  2.10  1.91650  1.95418  1.90803  1.93703   31.6    50.13
2    54.604  8.00  1.49700  1.50451  1.49514  1.50123   81.5    48.96
3  -950.683  (可変)                                             48.61
4  -120.693  1.60  1.81600  1.83800  1.81075  1.82825   46.6    26.83
5   134.231  2.02                                               25.79
6   -72.556  1.60  1.88300  1.91050  1.87656  1.89822   40.8    25.67
7    44.763  4.20  1.84666  1.89419  1.83649  1.87210   23.8    25.34
8  -184.596  (可変)                                             25.70
9(絞り) ∞    0.98                                              26.19
10   120.500   3.00 1.88300  1.91050  1.87656  1.89822   40.8    26.58
11  -112.138   0.15                                              26.60
12    45.495   5.50 1.49700  1.50451  1.49514  1.50123   81.5    26.07
13   -72.512   1.25 2.00100  2.04600  1.99105  2.02540   29.1    25.28
14   404.349  (可変)                                             25.05
15    57.791   1.30 2.00100  2.04600  1.99105  2.02540   29.1    23.40
16    30.842   3.00                                              22.83
17   162.567   2.70 1.77250  1.79197  1.76780  1.78337   49.6    23.20
18  -287.655   0.15                                              23.42
19    32.412   5.50 1.48749  1.49596  1.48534  1.49228   70.2    23.76
20   -67.048  (可変)                                             23.39
21  -107.987   3.00 1.72047  1.74723  1.71437  1.73512   34.7    20.33
22   -34.786   1.15 1.53775  1.54664  1.53555  1.54275   74.7    20.27
23    29.728  (可変)                                             19.80
24   400.072   3.00 1.77250  1.79197  1.76780  1.78337   49.6    37.30
25  -700.306   1.50                                              37.78
26  -159.978   2.00 1.43875  1.44442  1.43733  1.44195   94.9    37.98
27   160.041  (可変)                                             39.29
像面        ∞   
【００８０】
各種データ
ズーム比      4.06 
広角     中間     望遠
焦点距離      71.92   131.60   292.27  
Fナンバー      4.00     4.79     5.83  
半画角（度）  16.74     9.34     4.23  
像高          21.64    21.64    21.64  
レンズ全長   170.68   207.64   241.00  
BF             8.32    56.52    69.89  
d 3            8.25    45.22    78.57  
d 8           35.11    24.12     1.74  
d14           15.61    12.05    18.77  
d20            9.55     7.89     2.12  
d23           40.15     8.16    16.21  
d27            8.32    56.52    69.89  
入射瞳位置    48.24   122.42   203.88  
射出瞳位置   -63.23   -36.89   -46.40  
前側主点位置  47.87    68.62  -238.44  
後側主点位置 -63.60   -75.08  -222.39  
ズームレンズ群データ
群  始面    焦点距離  レンズ構成長  前側主点位置  後側主点位置
1    1     169.63        10.10        -0.85         -7.30
2    4     -47.21         9.42         0.73         -5.35
3    9      57.10        10.88        -0.16         -6.93
4   15      62.01        12.65         9.63          1.04
5   21     -50.82         4.15         1.82         -0.64
6   24    -415.00         6.50         8.08          3.42
単レンズデータ
レンズ  始面  焦点距離
1       1   -279.51
2       2    104.18
3       4    -77.66
4       6    -31.15
5       7     42.91
6      10     66.18
7      12     57.13
8      13    -61.34
9      15    -67.71
10      17    134.81
11      19     45.65
12      21     70.02
13      22    -29.62
14      24    329.99
15      26   -182.00
【００８１】
［数値データ５］
単位 mm
面データ
面番号    r      d     nd       ng       nC       nF      νd    有効径
1    86.696  5.00  1.48749  1.49596  1.48534  1.49228   70.2    51.96
2   547.987  1.00                                               51.29
3    73.096  2.10  1.91082  1.94412  1.90323  1.92907   35.3    48.65
4    46.644  8.00  1.49700  1.50451  1.49514  1.50123   81.5    46.08
5  -755.096  (可変)                                             45.64
6    59.021  1.60   1.81600  1.83800  1.81075  1.82825  46.6    28.12
7    35.768  4.50                                               26.17
8   -54.725  1.60   1.88300  1.91050  1.87656  1.89822  40.8    25.76
9    30.434  4.20   1.84666  1.89419  1.83649  1.87210  23.8    24.77
10  -752.540  (可変)                                             24.55
11(絞り) ∞   1.50                                               22.22
12    55.029  3.00   1.75700  1.77687  1.75223  1.76806  47.8    22.49
13   364.155  0.15                                               22.25
14    34.538  5.50   1.49700  1.50451  1.49514  1.50123  81.5    21.96
15   -39.104  1.25   1.88300  1.91050  1.87656  1.89822  40.8    21.22
16 10811.670  9.33                                               20.98
17    68.161  1.30   2.00100  2.04600  1.99105  2.02540  29.1    19.33
18    31.127  3.00                                               18.87
19   343.137  2.50   1.48749  1.49596  1.48534  1.49228  70.2    19.18
20   -48.420  0.19                                               19.32
21  1360.580  5.50   1.61720  1.63148  1.61375  1.62517  54.1    19.27
22  -14.079   1.15   1.59522  1.60612  1.59255  1.60134  67.7    19.22
23  -52.244  (可変)                                              19.28
24  -45.960   3.00   1.70000  1.71834  1.69564  1.71020  48.1    26.98
25  -28.495   1.00                                               27.54
26  -30.623   2.00   1.43875  1.44442  1.43733  1.44195  94.9    27.41
27   28.384   4.00                                               29.57
28   99.984   2.00   1.51633  1.52621  1.51386  1.52191  64.1    30.81
29  828.816  (可変)                                              31.36
像面        ∞   
【００８２】
各種データ
ズーム比      4.22 
広角     中間     望遠
焦点距離      68.25   126.36   288.22  
Fナンバー      4.16     4.68     5.83  
半画角（度）  17.59     9.72     4.29  
像高          21.64    21.64    21.64  
レンズ全長   168.24   189.04   207.81  
BF            12.70    30.65    79.58  
d 5            4.69    29.94    48.42  
d10           35.11    27.20     3.21  
d23           41.37    26.88     2.23  
d29           12.70    30.65    79.58  
入射瞳位置    59.66   138.47   181.05  
射出瞳位置   -44.69   -41.62   -34.56  
前側主点位置  46.73    43.91  -258.51  
後側主点位置 -55.56   -95.71  -208.64  
ズームレンズ群データ
群  始面    焦点距離  レンズ構成長  前側主点位置  後側主点位置
1    1     110.87        16.10         1.16         -9.67
2    6     -39.55        11.90         4.19         -4.30
3   11      47.52        34.37        15.26        -18.56
4   24     -65.00        12.00         1.43         -8.07
単レンズデータ
レンズ  始面  焦点距離
1       1    210.52
2       3   -147.08
3       4     88.69
4       6   -114.81
5       8    -21.96
6       9     34.63
7      12     85.28
8      14     37.84
9      15    -44.12
10      17    -58.25
11      19     87.22
12      21     22.61
13      22    -32.75
14      24    100.05
15      26    -33.23
16      28    220.00
【００８３】
［数値データ６］
単位 mm
面データ
面番号    r      d     nd       ng       nC       nF      νd    有効径
1    78.794  5.00  1.48749  1.49596  1.48534  1.49228   70.2    49.68
2   473.763  1.00                                               49.33
3    70.913  2.10  1.91082  1.94412  1.90323  1.92907   35.3    48.10
4    44.698  8.77  1.49700  1.50451  1.49514  1.50123   81.5    46.05
5 -2734.365  (可変)                                             45.37
6   308.327  1.60  1.81600  1.83800  1.81075  1.82825   46.6    28.27
7    50.996  3.50                                               26.39
8   -71.828  1.60  1.88300  1.91050  1.87656  1.89822   40.8    25.98
9    30.852  4.20  1.84666  1.89419  1.83649  1.87210   23.8    25.05
10  -755.156  (可変)                                             24.82
11(絞り) ∞    1.50                                              23.31
12    54.542   3.00 1.81600  1.83800  1.81075  1.82825   46.6    23.70
13  -153.445   0.15                                              23.55
14    27.648   5.50 1.49700  1.50451  1.49514  1.50123   81.5    22.49
15   -56.179   1.25 1.88300  1.91050  1.87656  1.89822   40.8    21.39
16    86.943   7.35                                              20.46
17   161.149   1.30 2.00100  2.04600  1.99105  2.02540   29.1    17.89
18    31.512   3.00                                              17.42
19   -53.592   2.50 1.48749  1.49596  1.48534  1.49228   70.2    17.58
20   -34.247   0.78                                              18.01
21   173.967   5.50 1.61405  1.62799  1.61067  1.62184   55.0    18.12
22   -12.483   1.15 1.59522  1.60612  1.59255  1.60134   67.7    18.12
23   -50.270  (可変)                                             19.09
24   -74.865   4.50 1.71300  1.72943  1.70897  1.72221   53.9    32.63
25   -29.367   1.00                                              33.06
26   -25.948   2.00 1.43875  1.44442  1.43733  1.44195   94.9    33.00
27    37.164  (可変)                                             36.42
28    63.173   4.00 1.51633  1.52621  1.51386  1.52191   64.1    43.08
29   148.077   6.03                                              42.99
像面    ∞   
【００８４】
各種データ
ズーム比     4.25 
広角     中間     望遠
焦点距離      68.17   138.99   289.64  
Fナンバー      4.16     5.09     5.83  
半画角（度）  17.61     8.85     4.27  
像高          21.64    21.64    21.64  
レンズ全長   171.58   189.79   206.22  
BF             6.03     6.03     6.03  
d 5            5.00    28.64    47.33  
d10           35.11    22.40     1.76  
d23           49.69    31.30     2.60  
d27            3.50    29.17    76.24  
入射瞳位置    58.04   121.62   165.63  
射出瞳位置   -57.68   -96.17  -200.71  
前側主点位置  53.26    71.59    49.47  
後側主点位置 -62.14  -132.96  -283.61  
ズームレンズ群データ
群  始面    焦点距離  レンズ構成長  前側主点位置  後側主点位置
1    1     110.91        16.87         0.51        -10.79
2    6     -38.25        10.90         2.53         -4.93
3   11      49.86        32.98         8.94        -23.40
4   24     -73.22         7.50         4.02         -0.88
5   28     210.01         4.00        -1.93         -4.53
単レンズデータ
レンズ  始面  焦点距離
1       1    193.08
2       3   -138.02
3       4     88.58
4       6    -75.09
5       8    -24.26
6       9     35.10
7      12     49.63
8      14     38.11
9      15    -38.49
10      17    -39.33
11      19    186.71
12      21     19.18
13      22    -28.22
14      24     65.09
15      26    -34.49
16      28    210.01
【００８５】
【表１】
2019020679.tif 000003
【符号の説明】
【００８６】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      ＧＬＲ  後群      ＬＲ  レンズ群
ＬＲＮ  レンズ      ＳＰ  開口絞り
【図１】
2019020679.tif 000004
【図２】
2019020679.tif 000005
【図３】
2019020679.tif 000006
【図４】
2019020679.tif 000007
【図５】
2019020679.tif 000008
【図６】
2019020679.tif 000009
【図７】
2019020679.tif 000010
【図８】
2019020679.tif 000011
【図９】
2019020679.tif 000012
【図１０】
2019020679.tif 000013
【図１１】
2019020679.tif 000014
【図１２】
2019020679.tif 000015
【図１３】
2019020679.tif 000016